(57)【要約】【課題】組立性を向上できる照明器具を提供する。【解決手段】照明器具10は、ソケット31および放熱体36を備える。ソケット31は、発光素子17を収容した筐体13から突出して発光素子17が発生する熱を外部に熱伝導する突出部16を有するランプ装置12を装着可能とし、突出部16が挿通される挿通口67を有する環状に形成されている。放熱体36は、ソケット31が取り付けられるとともにソケット31に装着されるランプ装置12の突出部16が接触する取付面部40、取付面部40の周囲から突設されソケット31を囲む周壁部41、およびソケット31に対向する取付面部40の領域に設けられた配線溝45を有する。【選択図】図１
2015065074.tif 000002
【特許請求の範囲】
【請求項１】
発光素子を収容した筐体から突出して前記発光素子が発生する熱を外部に熱伝導する突出部を有するランプ装置を装着可能とし、前記突出部が挿通される挿通口を有する環状のソケットと；
前記ソケットが取り付けられるとともに前記ソケットに装着される前記ランプ装置の前記突出部が接触する取付面部、この取付面部の周囲から突設され前記ソケットを囲む周壁部、および前記ソケットに対向する前記取付面部の領域に設けられた配線溝を有する放熱体と；
を具備することを特徴とする照明器具。
【請求項２】
前記放熱体の前記周壁部の先端に取り付けられる筒状に成形された枠部を備え、前記枠部の内面と外面とで型抜きテーパーの角度が異なる
ことを特徴とする請求項１記載の照明器具。
【発明の詳細な説明】
【技術分野】
【０００１】
本発明の実施形態は、発光素子を収容した筐体から突出して発光素子が発生する熱を外部に熱伝導する突出部を有するランプ装置を使用する照明器具に関する。
【背景技術】
【０００２】
従来、例えばダウンライト等の照明器具では、例えばＧＨ７６ｐ形口金を用いたランプ装置等、フラット形のランプ装置を使用する照明器具がある。
【０００３】
この照明器具では、ランプ装置の突出部から熱伝導される熱を放熱するための放熱体を備え、この放熱体にランプ装置を装着する環状のソケットが取り付けられている。そして、ソケットにランプ装置を装着することにより、ランプ装置の突出部がソケットを挿通して放熱体に接触し、発光素子が発生する熱を放熱体に熱伝導して放熱するように構成されている。
【先行技術文献】
【特許文献】
【０００４】
【特許文献１】特開２０１３−１４０７５７号公報
【発明の概要】
【発明が解決しようとする課題】
【０００５】
ソケットには複数本の配線が接続されるため、ソケットを放熱体で囲まれる狭いスペースの領域に取り付けるような場合、複数本の配線がソケットと放熱体との間に挟み込んだりソケットの中心側にはみ出さないようにしながらソケットの取付作業をしなければならず、組み立てに手間がかかる問題がある。
【０００６】
本発明が解決しようとする課題は、組立性を向上できる照明器具を提供することである。
【課題を解決するための手段】
【０００７】
実施形態の照明器具は、ソケットおよび放熱体を備える。ソケットは、発光素子を収容した筐体から突出して発光素子が発生する熱を外部に熱伝導する突出部を有するランプ装置を装着可能とし、突出部が挿通される挿通口を有する環状に形成されている。放熱体は、ソケットが取り付けられるとともにソケットに装着されるランプ装置の突出部が接触する取付面部、取付面部の周囲から突設されソケットを囲む周壁部、およびソケットに対向する取付面部の領域に設けられた配線溝を有する。
【発明の効果】
【０００８】
本発明によれば、ソケットに対向する取付面部の領域に設けられた配線溝を利用して、ソケットに接続される配線を配置することにより、ソケットを放熱体に容易に取り付けることができ、組立性が向上することが期待できる。
【図面の簡単な説明】
【０００９】
【図１】一実施形態を示す照明器具の断面図である。
【図２】同上照明器具の分解状態の斜視図である。
【図３】同上照明器具の組立状態の斜視図である。
【図４】同上照明器具の放熱体の底面図である。
【発明を実施するための形態】
【００１０】
以下、一実施形態を、図１ないし図４を参照して説明する。
【００１１】
照明器具10は、天井部材に開けられた埋め込み孔に埋め込み設置されるダウンライト等の埋込形照明器具である。この照明器具10は、光源として、例えばＧＨ７６ｐ形等の口金構造を用いたフラット形のランプ装置12を使用する。そして、照明器具10は、規定寸法の直径のランプ装置12を使用するが、埋め込み孔の径は例えば１００ｍｍ程度の小径寸法に対応したものであり、器具外径を従来よりも小さく構成したものである。
【００１２】
ランプ装置12は、円筒状の筐体13を備え、この筐体13の上面側中央に筒状の壁部14が立設されている。筐体13には壁部14を貫通して例えばアルミダイカスト製の円盤状の熱伝導体15が配設されている。熱伝導体15の上部側が筐体13から突出する突出部16として構成されている。熱伝導体15の突出部16の周辺部には、複数のキー溝15aと複数のキー15bとがそれぞれ所定の位置に配設されている。
【００１３】
熱伝導体15の下面には、発光素子17を有する発光モジュール18が取り付けられている。発光モジュール18は、基板19上に発光素子17として複数のＬＥＤチップを実装して蛍光体を含有した封止樹脂で一体に封止したＣＯＢ（Chip On Board）モジュールである。なお、発光素子17には、ＳＭＤ（Surface Mount Device）パッケージを用いてもよく、あるいはＥＬ素子など、他の半導体発光素子を用いてもよい。
【００１４】
発光モジュール18は、環状の取付枠20によって熱伝導体15の下面に押し付けられた状態に取り付けられている。発光モジュール18の下方には、筒状の反射板21によって保持された円板状の透光カバー22が対向配置されている。筐体13の下面には、透光カバー22の周辺部を反射板21に押し付けて保持する環状のカバー23が取り付けられている。カバー23の中央には透光カバー22を透過する光が通過する透光窓24が形成され、カバー23の下面にはランプ装置12を回動操作するための複数の指掛け部25が突設されている。
【００１５】
筐体13の上面側周辺部には、複数本であって例えば６本のピン26が突設されている。複数本のピン26のうち、２本は発光モジュール18に接続される電源供給用であり、残りは信号伝送用である。
【００１６】
そして、照明器具10は、器具本体30、ソケット31、反射体32、および電源装置33を備えている。
【００１７】
器具本体30は、放熱体36、この放熱体36の下部に配設される枠部としての化粧枠37、およびこの化粧枠37に取り付けられた複数の取付ばね38を備えている。
【００１８】
放熱体36は、例えばアルミダイカスト等の金属材料によって形成されている。放熱体36は、平面状の取付面部40、この取付面部40の周辺部から突設された周壁部41、および取付面部40の上面から突出する複数の放熱フィン42を備えている。
【００１９】
取付面部40の下面には、ソケット31がねじ止め固定されるとともに、ソケット31に装着されるランプ装置12の熱伝導体15の上面が熱伝導可能に接触され取付台部43が突出されている。ソケット31に対向する取付面部40の周辺部領域には、ソケット31に接続される電線44を配置可能とする配線溝45が形成されている。配線溝45は、取付台部43の全周に設けられていてもよいし、ソケット31に接続される電線44を引き回す領域との関係で周方向の一部に設けられていてもよい。配線溝45に連通して取付面部40を上下に貫通する配線孔46が形成されている。
【００２０】
周壁部41には、周方向の複数個所に平面部47が形成されている。本実施形態では、周壁部41の周方向に等間隔となる３箇所に平面部47が形成されている。平面部47は周壁部41の内面および外面とも平面状で、内面側は湾曲していない分だけ周壁部41の内側に突出されている。そのため、平面部47では、配線溝45の溝幅が狭くなっているが、平面部47を除く円弧部分では、配線溝45の溝幅が広く、配線孔46が形成されている。周壁部41には化粧枠37をねじ固定するための複数のボス48が形成されている。ボス48の内面および外面は周壁部41の内面および外面の両方に突出されている。
【００２１】
放熱フィン42は、複数の放熱フィン42が互いに間隔をあけて設けられており、複数の放熱フィン42の間に配線孔46が連通されている。
【００２２】
また、化粧枠37は、例えばアルミダイカストなどの金属材料あるいは樹脂材料によって上下方向に開口する筒状に形成されている。化粧枠37は、筒部50、およびこの筒部50の下端から外側方に突出する環状の化粧枠部51を備え、筒部50および化粧枠部51の内側には開口部52が形成されている。
【００２３】
筒部50には、周方向の複数個所に平面部53が形成されている。平面部53は、放熱体36の平面部47と対応する位置であって筒部50の周方向に等間隔となる３箇所に形成されている。平面部53は、筒部50の内面および外面とも平面状で、内面側は湾曲していない分だけ開口部52内に突出されている。筒部50には、放熱体36のボス48の位置に対応してねじ止めするためのボス54が設けられている。ボス54の内面および外面は筒部50の内面および外面の両方に突出されている。
【００２４】
平面部53の外面には取付ばね38を取り付けるためのばね取付部55が設けられている。このばね取付部55には、取付ばね38を上方からスライドさせて取り付けるガイド部56が形成されているとともに、ガイド部56に取り付けられた取付ばね38が引っ掛かって抜け止めする係止孔57が形成されている。
【００２５】
平面部53には、ばね取付部55の上側に反射体32を取り付けるための被嵌合部58が形成されている。この被嵌合部58は横長に形成された孔59によって構成されている。
【００２６】
化粧枠部51には、少なくとも１つの窪み部60が形成されている。本実施形態では、２つの窪み部60を備え、一方は被嵌合部58の位置に対応し、他方は隣り合う被嵌合部58の間の位置に対応して配置されている。
【００２７】
化粧枠37は、成形型によって成形するために、成形後に成形型から抜き外すために、外面および内面には型抜きテーパーが付けられている。化粧枠37の外面には、成形型から化粧枠37が下方に抜けるように下部側より上部側の径が小さくなる例えば１°の型抜きテーパーが付けられている。化粧枠37の内面はパーティングライン37aを境に上部側と下部側とで異なる傾斜方向の型抜きテーパーが付けられており、パーティングライン37aより上側には成形型から化粧枠37が下方に抜けるように上部側より下部側の径が小さくなる例えば２°の型抜きテーパーが付けられ、パーティングライン37aより下側には成形型から化粧枠37が上方に抜けるように下部側より上部側の径が小さくなる例えば２°の型抜きテーパーが付けられている。このように、化粧枠37の外面と内面とで型抜きテーパーの角度が異なっており、さらに、化粧枠37の内面ではパーティングライン37aを境に上部側と下部側とで異なる傾斜方向の型抜きテーパーが付けられている。
【００２８】
また、取付ばね38は、板ばねで構成されており、一端にばね取付部55に取り付けられる取付片62が設けられ、この取付片62からは弾性によって側方に展開するように展開部63が折曲されている。取付片62には、ばね取付部55に取り付けられることにより係止孔57に引っ掛かって抜け止めする引掛り部が形成されている。
【００２９】
また、ソケット31は、絶縁性を有する合成樹脂製で環状に形成されたソケット本体65、およびこのソケット本体65に配置された複数の端子66を備えている。複数の端子66のうち、２つは電源供給用であり、残りは信号伝送用である。
【００３０】
ソケット本体65の中央には、ランプ装置12の突出部16が挿通する円形の挿通口67が形成されている。ソケット本体65の下面には、ランプ装置12の各ピン26が挿入される複数の接続孔68が周方向に沿って長孔状に形成されている。各接続孔68の上側に端子66が配置されており、接続孔68に挿入されたランプ装置12のピン26が端子66に電気的に接続される。
【００３１】
ソケット本体65の内周面には、複数のキー65aが突出形成されているとともに、複数の略Ｌ字形のキー溝65bが形成されている。ソケット31のキー65aおよびキー溝65bとランプ装置12のキー溝15aおよびキー15bとはそれぞれ対応する位置に設けられている。そして、ランプ装置12のキー溝15aおよびキー15bをソケット31のキー65aおよびキー溝65bに合わせてランプ装置12の突出部16をソケット31の挿通口67に挿入し、ランプ装置12を回動させることによりランプ装置12をソケット31に着脱可能に装着することができる。
【００３２】
ソケット31は支持機構を介して放熱体36の取付面部40に支持されている。この支持機構では、ソケット31にランプ装置12が装着されることにより、熱伝導体15の上面を放熱体36の取付面部40に押し付けて熱伝導性を高めるように構成されている。
【００３３】
また、反射体32は、例えば合成樹脂材料によって上下方向に開口する筒状に形成されている。反射体32は、下方へ向けて拡開する筒状の反射部72、および反射部72の下端から外側方に突出する環状の縁部73を備えている。反射部72の内面には例えば二次曲面で構成された反射面74が形成され、反射部72の上端はランプ装置12の透光窓24の周辺近傍に配置され、反射部72の下端は化粧枠37の化粧枠部51の近傍に配置される。縁部73は、化粧枠37の化粧枠部51の内周側に嵌合可能とされている。
【００３４】
反射体32の側面には、縁部73側から上方へ向けて、立上げ部である複数の平板部75が一体に突設されているとともに、これら平板部75間にガイド板部76が一体に突設されている。平板部75は、外面が平面状で、化粧枠37の平面部53と対応する位置であって反射体32の周方向に等間隔となる３箇所に形成されている。ガイド板部76は、化粧枠37の円弧状の内周面の位置に対応する位置に形成されている。そして、平板部75が化粧枠37の平面部53に嵌り合う位置でのみ、反射体32を化粧枠37の開口部52内に挿入可能としている。
【００３５】
平板部75およびガイド板部76の先端側は反射体32の径方向に弾性変形可能とする自由端であり、平板部75の方がガイド板部76よりも上方に突出されている。
【００３６】
平板部75の先端側近傍の外面には被嵌合部58に凹凸嵌合する嵌合部77が設けられている。嵌合部77は、平板部75の外面から突出する突起78で構成され、被嵌合部58の孔59に引っ掛かるように構成されている。突起78の上面側は平面部53の内面側に入りやすくするために円弧面に形成され、下面は孔59に引っ掛かるとともに孔59から外すことも可能とするために傾斜面に形成されている。
【００３７】
また、電源装置33は、ソケット31と電線44によって接続されている。そして、電源装置33は、商用交流電源を整流平滑して直流電源に変換する電源回路、この直流電源をスイッチング素子のスイッチングにより所定の直流出力としてランプ装置12に供給するＤＣ／ＤＣコンバータ、スイッチング素子の発振を制御する制御ＩＣなどを備えている。また、調光対応の電源装置33の場合には、ランプ装置12の発光素子17の電流を検出して調光信号に応じた基準値と比較し、制御ＩＣによりスイッチング素子のスイッチング動作を制御する。
【００３８】
そして、このように構成された照明器具10を、天井部材に開けられた埋め込み孔に埋め込み設置する。まず、埋め込み孔から引き出した電源線や信号線などの所定の電線を電源装置33に接続し、電源装置33の端部を上方に向けて埋め込み孔に挿入し、天井部材の上方域で電線装置33を水平に傾けながら、器具本体30の上部側から埋め込み孔に挿入する。器具本体30を埋め込み孔に挿入する際には、取付ばね38を器具本体30の側面に沿うように弾性変形させて押え付けておきながら、取付ばね38も埋め込み孔に挿入する。取付ばね38を埋め込み孔に挿入した後に、取付ばね38の押え付けを解除することにより、取付ばね38の弾性変形に対する反発力で、取付ばね38が展開して天井部材の上側に当接するとともに天井部材に対して器具本体30を上方へ引き上げる。これにより、化粧枠部51が天井部材の下面すなわち天井面に当接した設置状態となり、取付ばね38によって設置状態を保持する。
【００３９】
ランプ装置12を器具本体30の開口部52から挿入してソケット31に装着する。ランプ装置12の突出部16をソケット31の挿通口67に挿入し、さらに、ランプ装置12のキー溝15aおよびキー15bをソケット31のキー65aおよびキー溝65bに挿入し、ランプ装置12を回動させることにより、ランプ装置12をソケット31に装着する。ランプ装置12をソケット31に装着した状態では、ランプ装置12のピン26がソケット31の端子66に電気的に接続され、また、熱伝導体15の上面が放熱体36の取付面部40に接触し、さらにソケット31によって熱伝導体15の上面が放熱体36の取付面部40に押し付けられ、ランプ装置12から放熱体36への良好な熱伝導性可能となる。
【００４０】
反射体32を器具本体30の開口部52から挿入して器具本体30に取り付ける。この場合、反射体32の平板部75を化粧枠37の平面部53に嵌り合う位置で、反射体32を化粧枠37の開口部52内に挿入する。このとき、平板部75の外面から突出する突起78が平面部53の内面側に入り込み、平板部75が反射体32の中心側に弾性変形する。平板部75が化粧枠37の内側に侵入した後に、ガイド板部76が化粧枠37の内側に侵入し、反射体32と化粧枠37との水平方向の位置を位置決めする。そして、反射体32が化粧枠37に装着される装着位置の直前で突起78が化粧枠37の孔59の位置に達し、平板部75の弾性変形に対する反発力で突起78が孔59に嵌り込み、反射体32を化粧枠37に対する装着位置に引き上げて係止する。すなわち、化粧枠37の被嵌合部58と反射体32の嵌合部77とが凹凸嵌合する。装着位置の反射体32は、縁部73が化粧枠部51の内側に嵌り込んで保持される。
【００４１】
また、電源装置33からソケット31を通じてランプ装置12に給電することにより、ランプ装置12の発光素子17が点灯する。点灯した発光素子17が発生する光は透光カバー22を透過するとともに、透光カバー22を透過した一部の光は反射体32の内側を通過して所定の照射方向へ向けて直接照射され、透光カバー22を透過した一部は反射体32の反射面74で反射して所定の照射方向へ向けて照射される。
【００４２】
ランプ装置12の点灯時において、発光素子17が発生する熱は、主に、基板19から熱伝導体15に熱伝導され、この熱伝導体15の突出部16の上面から放熱体36に熱伝導され、放熱体36の複数の放熱フィン42から空気中に放熱される。
【００４３】
また、ランプ装置12を外す際には、まず、反射体32を器具本体30から外す。反射体32を外すには、化粧枠37の化粧枠部51に設けられている窪み部60から反射体32の縁部73に指を掛け、反射体32を引き下げることにより、突起78が孔59から外れ、すなわち嵌合部77が被嵌合部58から外れ、反射体32を下方へ移動させて化粧枠37から外すことができる。このとき、隣り合う被嵌合部58の間の位置に対応して配置されている窪み部60から反射体32を外す操作をすれば、反射体32の縁部73と化粧枠37の化粧枠部51との間に隙間ができ、指を掛けやすい。また、被嵌合部58の位置に対応して設けられている窪み部60から反射体32を外す操作をすれば、突起78が孔59から直接的に外れやすい。
【００４４】
そして、本実施形態の照明器具10では、器具本体30の化粧枠37の側面に設けた被嵌合部58に、反射体32の側面に設けた嵌合部77が凹凸嵌合するため、反射体取付ばねを用いずに器具本体30に反射体32を取り付けることができ、器具本体30の外形の小形化にも対応することができる。
【００４５】
また、化粧枠37の被嵌合部58をばね取付部55に設けているため、被嵌合部58をばね取付部55と一緒に設けることができ、化粧枠37の製造性を向上できる。
【００４６】
さらに、ばね取付部55の位置に対応して化粧枠37の内面に平面部53を形成し、反射体32の側面に平板部75を設け、平板部75に嵌合部77を設けているため、化粧枠37に対する反射体32の周方向における挿入位置を位置決めでき、反射体32を化粧枠37に挿入した際に被嵌合部58と嵌合部77とが凹凸嵌合しやすく、反射体32の取り付け作業性を向上できる。
【００４７】
さらに、化粧枠37は周面を塞いだ筒状に形成しているため、化粧枠37の外表面の表面積が広くなり、ランプ装置12から化粧枠37に伝えられる熱を化粧枠37の外表面から放熱することがで、放熱性を向上できる。
【００４８】
また、本実施形態の照明器具10では、放熱体36の取付面部40のソケット31に対向する領域に配線溝45を設けているため、ソケット31を放熱体36に取り付ける際に、ソケット31に接続される電線44を配線溝45に配置することができ、電線44の取り回しがよく、ソケット31と放熱体36との間に電線44を挟み込んだり、ソケット31の内側に電線44がはみ出るのが抑制され、ソケット31を放熱体36に容易に取り付けることができ、組立性を向上できる。
【００４９】
さらに、化粧枠37の内面と外面とで型抜きテーパーの角度を異ならしているため、化粧枠37の外径寸法を小さくすることができる。例えば、化粧枠37の内面側の型抜きテーパーの角度を大きくすることで、型抜き性を確保し、また、化粧枠37の外面側の型抜きテーパーの角度を小さくすることで、化粧枠37の下部側の外径寸法を小さくすることができる。しかも、化粧枠37の内面では、パーティングライン37aを境に上部側と下部側とで異なる傾斜方向の型抜きテーパーを付けているため、１つの型抜きテーパーのみで構成する場合に比べて、化粧枠37の内径寸法を大きくすることができる。
【００５０】
なお、反射体32を用いず、化粧枠37の内面を反射面として機能させる照明器具10の場合には、ランプ装置12の光を下方へ反射させるために、パーティングライン37aをランプ装置12の発光面より上に配置することが好ましい。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
10    照明器具
12    ランプ装置
13    筐体
16    突出部
17    発光素子
31    ソケット
36    放熱体
37    枠部としての化粧枠
40    取付面部
41    周壁部
45    配線溝
67    挿通口
【図１】
2015065074.tif 000003
【図２】
2015065074.tif 000004
【図３】
2015065074.tif 000005
【図４】
2015065074.tif 000006